(57)【要約】【課題】二重床構造において、間仕切壁の設置箇所が未定であっても、床を先行して施工することができるようにする。【解決手段】天井側ランナー１６ａの凹部と、床材１２側に取付けられた床側ランナー１６Ｂの凹部との間に、表面に石膏ボード等の壁材１６ｄを貼り付けるための間柱１６ｃを上下方向に揺動可能に設置し、上記間仕切壁１６を上階スラブ１８に対して絶縁するとともに、上記間仕切壁１６を支持する床側ランナー１６Ｂの肉厚を厚くしてその剛性を高め、更に、パーティクルボード１２Ａとフローリング１２Ｃとの間に２枚の下地合板１２ｍ，１２ｎを介挿させて床材１２の剛性を高めるようにした。【選択図】        図１
2004257059.tif 000002
【特許請求の範囲】
【請求項１】
基礎床上に床支持具を複数個配置し、これらの床支持具上に、基材とこの基材上に積層された複数の床板とから成る床材を配置するとともに、上記床材と壁面との間、及び、最上部の床板と間仕切壁との間にそれぞれ所定の隙間を設けて成る二重床構造において、上記間仕切壁の下地柱を天井側ランナーの凹部と床側ランナーの凹部との間に上下方向に揺動可能に設置するとともに、上記床材の最上部の床板と基材との間に、少なくとも２枚の下地合板を介挿させたことを特徴とする二重床構造。
【請求項２】
上記天井側ランナーと野縁受けとの間隔を広げたことを特徴とする請求項１に記載の二重床構造。
【請求項３】
上記天井側ランナー近傍に野縁受けを設けて野縁及び天井材を保持するとともに、上記天井材と間仕切壁との間に隙間を設けたことを特徴とする請求項１に記載の二重床構造。
【請求項４】
上記床側ランナーの剛性を高くしたことを特徴とする請求項１〜請求項３のいずれかに記載の二重床構造。
【請求項５】
上記下地合板を目違い張りしたことを特徴とする請求項１〜請求項４のいずれかに記載の二重床構造。
【発明の詳細な説明】
【０００１】
【発明の属する技術分野】
本発明は、基礎床上に床支持具を複数個配置し、これらの床支持具上に、基材とこの基材上に積層された複数の床板とから成る床材を配置して成る二重床の構造に関するものである。
【０００２】
【従来の技術】
近年、集合住宅等の各種建造物においては、基礎床上に床支持具を複数個配置し、これらの床支持具上に複数の床部材を積層して成る二重床構造が多く採用されている。このとき、床材に衝撃が加わった際に発生する振動を低減するため、例えば、図５に示すような、床スラブ１０上にクッション性を有する防振材を備えた複数の床支持具１１を配置し、その上にパーティクルボードなどの基材５２Ａとこの基材５２Ａ上に複数の床板５２Ｂ，５２Ｃを積層した床材５２を配置するとともに、壁１３側に位置する床材５２の端部５２ｐを、壁１３の表面から２ｍｍ以上離した位置に設置された、際根太１４といわれる支持部材により支持して、壁際に家具等の重量物が設置された場合でも、床材５２の端部５２ｐが沈み込まないようにしている。なお、上記際根太１４は、支柱１４ａと台座１４ｂとを介して床スラブ１０に接地される。
上記床支持具１１は、詳細には、上部に床材５２を取付けるための矩形状の台座１１ａを有する支柱１１ｂと、この支柱１１ｂの下部を支持し、上記床スラブ１０面に接地する、ゴム等より成る防振材１１ｃとから成り、床衝撃音等の上記床材５２からの振動が、床スラブ１０を介して階下に伝達されるのを防止する。一方、際根太１４は、通常、木材から成り、クッション性を有していないので、上記床材５２からの振動（固体伝播音）が壁１３を介して階下に伝達されるのを防止するためと、上記床材５２の振動に起因する二重床下の空気共振音の発生を防止するために、図６（ａ）に示すように、床材５２の端部５２ｐと壁１３との間に２ｍｍ程度の空気連通路（隙間）１３ｓが設けられている。
また、部屋の隅に当たる壁１３の表面の上記床材５２の直上には、壁１３の表面に沿って幅木１５が取付けられるが、この幅木１５を取付ける際にも、床材５２と幅木１５との間にも２ｍｍ程度の隙間１５ｓを設けるようにしている。
【０００３】
また、部屋Ａと部屋Ｂとを区画する間仕切壁１６を設ける場合には、間仕切壁１６直下の床スラブ１０上に、支柱１４ａと台座１４ｂとを介して、上記際根太１４と同様の間仕切根太１４Ａを設置し、上記間仕切壁１６際に家具等の重量物が設置された場合でも、床材５２が沈み込まないようにしている。また、床衝撃音による床材５２の振動が、床スラブ１０を介して階下に伝達されるのを防止するため、図６（ｂ）に示すように、最表面の床板５２Ｃの端部５２ｑと上記間仕切壁１６との間、及び、上記間仕切壁１６面の上記床板５２Ｃの直上に取付けられた幅木１７と上記床板５２Ｃとの間にも、２ｍｍ程度の隙間１６ｓ，１７ｓをそれぞれ設けるようにしている。
上記間仕切壁１６は、上階スラブ１８側に断面がコの字状に形成された天井側ランナー１６ａを取付け、床材５２側にも断面がコの字状の床側ランナー１６ｂを取付け、上記ランナー１６ａの凹部とランナー１６ｂの凹部と間に下地柱としての間柱１６ｃを固定するとともに、上記間柱１６ｃの表面に石膏ボード等の壁材１６ｄを貼り付けて構築される。このとき、遮音性能を向上させるため、上記床側ランナー１６ｂの凹部内底部にゴム等のクッション材１６ｋを敷き詰めるとともに、上記間柱１６ｃ及び壁材１６ｄの下端側を上記床側ランナー１６ｂに固定しないようにしている。これにより、上記間仕切壁１６は、天井側ランナー１６ａを介して、上階スラブ１８に吊られている状態となるので、上階からの振動の伝播を低減することができる。
なお、上記図５において、１９は野縁２０に取付けられた、天井仕上げボードなどの天井材で、上記野縁２０は、野縁受け２１及び野縁受け取付金具２２を介して、上階スラブ１８に取付けられる。このとき、上記野縁２０の天井側ランナー１６ａの両側近傍に野縁受け２１Ａを設け、野縁受け取付金具２２Ａを介してこれを上階スラブ１８に固定することにより、上記天井材１９の端部が振動しないようにしている（例えば、特許文献１，２参照）。
【０００４】
【特許文献１】
特開２０００−１０４３９３号公報  （第３，４頁、第４図）
【特許文献２】
特開２００２−１０６０８８号公報  （第３，４頁、第１図）
【０００５】
【発明が解決しようとする課題】
ところで、近年、マンションなどでは、フリープランといわれる、間仕切壁１６により区画される部屋Ａと部屋Ｂの間仕切位置などの間取りを購入者が選択できる方式が行われている。しかしながら、上記間仕切壁１６の施工は、上記床材５２を敷設した後に行われるため、フリープランにおいては、上記間仕切壁１６の設置予定箇所の直下に設置される間仕切根太１４Ａの位置を予め特定することができなかった。そのため、間取りが決定するまでは、床を先行して施工することができず、工事期間が長期化してしまうといった問題点があった。
【０００６】
本発明は、従来の問題点に鑑みてなされたもので、間仕切壁の設置箇所が未定であっても、床を先行して施工することができる二重床構造を提供することを目的とする。
【０００７】
【課題を解決するための手段】
本発明の請求項１に記載の発明は、基礎床上に床支持具を複数個配置し、これらの床支持具上に、基材とこの基材上に積層された複数の床板とから成る床材を配置するとともに、上記床材と壁面との間、及び、最上部の床板と間仕切壁との間にそれぞれ所定の隙間を設けて成る二重床構造であって、上記間仕切壁の下地柱を天井側ランナーの凹部と床側ランナーの凹部との間に上下方向に揺動可能に設置して間仕切壁を天井スラブに対して絶縁するとともに、上記床材の最上部の床板と基材との間に、少なくとも２枚の下地合板を介挿させて二重床の剛性を高めるようにしたことを特徴とするものである。これにより、間仕切壁の直下に設置する間仕切根太を省略しても、床材が沈み込まず、かつ、遮音性能を十分に確保することができるので、間仕切壁の設置箇所が未定であっても、床を先行して施工することが可能となり、フリープランに容易に対応することが可能となる。
【０００８】
請求項２に記載の発明は、請求項１に記載の二重床構造において、上階からの振動の伝播を低減するため、上記天井側ランナーと野縁受けとの間隔を広げて、天井材の端部を揺動可能としたものである。
また、請求項３に記載の発明は、上記天井側ランナー近傍に野縁受けを設けて野縁及び天井材を保持するとともに、上記天井材と間仕切壁との間に隙間を設けて、天井材と間仕切壁とを絶縁するようにしたものである。
また、請求項４に記載の発明は、上記間仕切壁を支持する二重床の剛性を更に高めるため、請求項１〜請求項３のいずれかに記載の二重床構造において、上記床側ランナーの剛性を高くしたものである。
請求項５に記載の発明は、請求項１〜請求項４のいずれかに記載の二重床構造において、上記下地合板を目違い張りして、上記床材の剛性を更に向上させるようにしたものである。
【０００９】
【発明の実施の形態】
以下、本発明の実施の形態について、図面に基づき説明する。
図１は、本発明の一実施の形態を示す図で、同図において、１０は基礎床である床スラブ、１１は上部に床材１２を取付けるための矩形状の台座１１ａを有する支柱１１ｂと、この支柱１１ｂを床スラブ１０上に保持するクッション性を有する防振材１１ｃとを備え、上記床スラブ１０に接地される床支持具、１２は上記床支持具１１に取付けられたパーティクルボード１２Ａと、このパーティクルボード１２Ａ上に積層される２枚の下地合板１２ｍ，１２ｎ及びフローリング１２Ｃとから成る床材、１３は壁、１４は支柱１４ａと台座１４ｂとを介して上記床スラブ１０に接地され、かつ、壁１３表面から２ｍｍ以上離した位置に設置された、上記床材１２の端部１２ｐを支持する際根太、１５は上記壁１３表面の上記床材１２の直上に、上記壁１３に沿って取付けられる幅木、１６は間仕切壁、１７はこの間仕切壁１６に取付けられる幅木である。
本例では、上記のように、パーティクルボード１２Ａとフローリング１２Ｃとの間に２枚の下地合板１２ｍ，１２ｎを介挿させて床材１２の剛性を高めるとともに、図２に示すように、上記下地合板１２ｍ，１２ｎを目違い張りし、上記下地合板１２ｍ，１２ｍ同士の接合部１２ｓと下地合板１２ｎ，１２ｎ同士の接合部１２ｋとが重ならないように上記下地合板１２ｍ，１２ｎを配置することにより、床材１２の剛性を高めるようにしている。
【００１０】
また、１６は部屋Ａと部屋Ｂとを区画する間仕切壁で、本例では、図１に示すように、上階スラブ１８側に取付けられた天井側ランナー１６ａの凹部と、床材１２側に取付けられた床側ランナー１６Ｂの凹部との間に、間柱１６ｃを、固定することなく、上下方向に揺動可能に設置し、この間柱１６ｃの表面に石膏ボード等の壁材１６ｄを貼り付けて構築する。このとき、上記床材１２の最表面に位置するフローリング１２Ｃの壁１３側の端部１２ｐと壁１３との間、及び、上記フローリング１２Ｃと幅木１５との間に、上記従来例と同様に、２ｍｍ前後の隙間を設けるとともに、間仕切壁１６と上記フローリング１２Ｃの端部１２ｑとの間、及び、上記フローリング１２Ｃと幅木１７との間にも２ｍｍ前後の隙間を設ける。
また、上記間仕切壁１６を支持する床側ランナー１６Ｂの肉厚を厚くしてその剛性を高めるとともに、遮音性能を向上させるため、上記床側ランナー１６Ｂの凹部内底部にゴム等のクッション材１６ｋを敷き詰めるようにしている。これにより、上記間仕切壁１６は、上階スラブ１８とは絶縁された状態となるので、図３に示すように、上階への振動の伝播、及び、上階からの振動の伝播を低減することができる。
【００１１】
また、本例では、図３に示すように、上記天井側ランナー１６ａと野縁受け２１との間隔Ｌを広げるとともに、野縁２０に取付けられる天井材１９の端部が間仕切壁１６の壁材１６ｄの上面に載るように、上記天井材１９を設置するようにしている。これにより、上記天井材１９の端部は揺動可能となるので、上階から伝播される振動や、当該階から上階への振動の伝播を低減することができ、遮音性能を更に向上させることができる。
なお、天井材１９の端部が間仕切壁１６の壁材１６ｄにより支持されるので、部屋が小さい場合には、野縁受け２１及び野縁受け取付金具２２を省略することも可能である。
【００１２】
このように本実施の形態では、天井側ランナー１６ａの凹部と、床材１２側に取付けられた床側ランナー１６Ｂの凹部との間に、表面に石膏ボード等の壁材１６ｄを貼り付けるための間柱１６ｃを上下方向に揺動可能に設置し、上記間仕切壁１６を上階スラブ１８に対して絶縁するとともに、上記間仕切壁１６を支持する床側ランナー１６Ｂの肉厚を厚くしてその剛性を高め、更に、パーティクルボード１２Ａとフローリング１２Ｃとの間に２枚の下地合板１２ｍ，１２ｎを介挿させて床材１２の剛性を高めるようにしたので、上記図４に示した従来の間仕切根太１４Ａを省略しても、床材が沈み込まず、かつ、遮音性能を十分に確保することができる。したがって、間仕切壁の設置個所が未定であっても床を先行して施工することができ、フリープランの住居を施工する際の工事期間を短くすることができる。
【００１３】
なお、上記実施の形態では、パーティクルボード１２Ａとフローリング１２Ｃとの間に２枚の下地合板１２ｍ，１２ｎを介挿した構成としたが、介挿される下地合板の枚数はこれに限るものではなく、部屋Ａ，Ｂの広さによっては３枚以上としてもよい。また、上記床側ランナー１６Ｂの凹部内底部には必ずしもクッション材１６ｋを敷き詰める必要はないが、遮音性能上はクッション材１６ｋを敷き詰めた方が有利である。
また、上記例では、上記天井側ランナー１６ａと野縁受け２１との間隔Ｌを広げて、天井材１９の端部が揺動可能となる構造を示したが、図４に示すように、逆に、上記天井側ランナー１６ａ近傍に野縁受け２１Ｚを設けて野縁２０及び天井材１９を保持するとともに、上記天井材１９と間仕切壁１６との間に隙間１９ｓを設けた構造としてもよい。これにより、間仕切壁１６を天井材１９に対して絶縁することができるので、上記例と同様に、上階から伝播される振動や、当該階から上階への振動の伝播を低減することができる。なお、この場合には、間仕切壁１６の壁材１６ｄの天井側に、回り縁１６ｅを設けて、上記隙間１９ｓを室内側から隠すようにすることが好ましい。
【００１４】
【発明の効果】
以上説明したように、本発明によれば、二重床構造において、間仕切壁の下地柱を天井側ランナーの凹部と床側ランナーの凹部との間に上下方向に揺動可能に設置して間仕切壁を天井スラブに対して絶縁するとともに、上記床材の最上部の床板と基材との間に、少なくとも２枚の下地合板を介挿させて二重床の剛性を高めるようにしたので、間仕切壁の直下に設置する間仕切根太を省略しても、床材が沈み込まず、かつ、遮音性能を十分に確保することができる。したがって、間仕切壁の設置箇所が未定であっても、床を先行して施工することができるので、フリープランに容易に対応することができる。
【図面の簡単な説明】
【図１】本発明の実施の形態に係る二重床構造を示す断面図である。
【図２】本実施の形態に係る床板の積層方法を示す図である。
【図３】間仕切壁の天井近傍の拡大図である。
【図４】間仕切壁の天井近傍の他の例を示す図である。
【図５】従来の二重床構造を示す断面図である。
【図６】二重床構造における空気連通路の拡大図である。
【符号の説明】
１０  床スラブ、１１  床支持具、１１ａ  台座、１１ｂ  支柱、
１１ｃ  防振材、１２  床材、１２Ａ  パーティクルボード、
１２ｍ，１２ｎ  下地合板、１２Ｃ  フローリング、
１２ｐ，１２ｑ  床材の端部、１３  壁、１４  際根太、１４ａ  際根太の支柱
、１４ｂ  際根太の台座、１５，１７  幅木、１６  間仕切壁、
１６ａ  天井側ランナー、１６Ｂ  床側ランナー、１６ｋ  クッション材、
１８  上階スラブ、１９  天井材、２０  野縁、２１  野縁受け、
２２  野縁受け取付金具。
【図１】
2004257059.tif 000003
【図２】
2004257059.tif 000004
【図３】
2004257059.tif 000005
【図４】
2004257059.tif 000006
【図５】
2004257059.tif 000007
【図６】
2004257059.tif 000008